(57)【要約】      （修正有）【課題】交換可能なオスピースを有する保護カバーおよび保護カバーキットを提供する。【解決手段】モバイルデバイスをカバーして固定するための交換可能なオスピース付きの保護カバー１００および保護カバーキットであり、モバイルデバイスは、弾性保護カバー本体３、第１硬質オスピース１、および第２硬質オスピース２を含む固定部材に固定されている。第１硬質オスピースおよび第２硬質オスピースは、固定部材の第１メスピースまたは第２メスピースに対応し、弾性保護カバー本体に選択的に嵌合される。保護カバーキットには、弾性保護カバー本体、硬質オスピース、メスピースキットが含まれている。メスピースキットには、汎用型メスピースとメスピースキャリアが含まれている。汎用型メスピースは、硬質オスピースの第１連結部１２の１つまたは第２連結部２２の１つを着脱自在に接続するために使用される。【選択図】図２
0003228362.tif 000002
【実用新案登録請求の範囲】
【請求項１】
モバイルデバイスをカバーして固定するために使用され、前記モバイルデバイスを選択的に第１メスピースまたは第２メスピースの固定部材に固定される、交換可能なオスピースを有する保護カバーは、弾性保護カバー本体、第１硬質オスピース、第２硬質オスピースを含み、
前記弾性保護カバー本体は、前記モバイルデバイスを覆って固定するための溝部と開口部を有し、前記溝部のサイズは前記開口部よりも大きく、
前記第１硬質オスピースは、前記第１メスピースに取り合わせて、第１連結部および第１嵌合部を有し、前記弾性保護カバー本体の前記溝部に着脱可能に嵌合され、前記第１連結部を前記開口部から突出させ、
前記第２硬質オスピースは、前記第２メスピースに取り合わせて、第２連結部および第２嵌合部を有し、前記弾性保護カバー本体の前記溝部に着脱可能に嵌合され、前記第２連結部を前記開口部から突出させ、
前記固定部材が前記第１メスピースを有する場合、前記第１硬質オスピースは、前記弾性保護カバー本体に選択的に嵌合され、前記第１メスピースを取り外し可能に組み立てて固定するために使用され、前記固定部材が前記第２メスピースを備えている場合、前記第２硬質オスピースは前記弾性保護カバー本体に選択的に嵌合され、前記第２メスピースを取り外し可能に組み立てて固定するために使用されることを特徴とする、交換可能なオスピースを有する保護カバー。
【請求項２】
前記弾性保護カバー本体は複数の突起を含み、前記突起は前記溝部に配置され、前記第１嵌合部には複数の第１貫通孔が設けられており、前記第１硬質オスピースを前記弾性保護カバー本体に嵌合させると、前記第１貫通孔は前記突起を挿入するために使用されることを特徴とする、請求項１に記載の交換可能なオスピースを有する保護カバー。
【請求項３】
前記弾性保護カバー本体は複数の突起を含み、前記突起は前記溝部に配置され、前記第２嵌合部には複数の第２貫通孔が設けられており、前記第２硬質オスピースを前記弾性保護カバー本体に嵌合させると、前記第２貫通孔は前記突起を挿入するために使用されることを特徴とする、請求項１に記載の交換可能なオスピースを有する保護カバー。
【請求項４】
前記第１連結部には、前記第１メスピースに対応する複数の第１組立穴が設けられていることを特徴とする、請求項１に記載の交換可能なオスピースを有する保護カバー。
【請求項５】
前記第１組立穴は、２つの第１横方向組立穴と２つの第１縦方向組立穴を含み、前記２つの第１横方向組立穴の間に第１横基準線が形成され、前記２つの第１縦方向組立穴の間に第１縦基準線が形成され、前記第１横基準線は、前記第１縦基準線に対して垂直であることを特徴とする、請求項４に記載の交換可能なオスピースを有する保護カバー。
【請求項６】
前記第２連結部には、前記第２メスピースに対応する複数の第２組立穴が設けられていることを特徴とする、請求項１に記載の交換可能なオスピースを有する保護カバー。
【請求項７】
前記第２組立穴は、２つの第２横方向組立穴と２つの第２縦方向組立穴を含み、前記２つの第２横方向組立穴の間に第２横基準線が形成され、前記２つの第２縦方向組立穴の間に第２縦基準線が形成され、前記第２横基準線は、前記第２縦基準線に対して垂直であることを特徴とする、請求項６に記載の交換可能なオスピースを有する保護カバー。
【請求項８】
前記第１嵌合部は複数の第１かかりを有し、前記第１硬質オスピースが前記弾性保護カバー本体に嵌合され、前記弾性保護カバー本体が前記モバイルデバイスを覆うときに前記開口部が前記モバイルデバイスによって引き伸ばされるのを防ぐことを特徴とする、請求項１に記載の交換可能なオスピースを有する保護カバー。
【請求項９】
前記第２嵌合部は複数の第２かかりを有し、前記第２硬質オスピースが前記弾性保護カバー本体に嵌合され、前記弾性保護カバー本体が前記モバイルデバイスを覆うときに前記開口部が前記モバイルデバイスによって引き伸ばされるのを防ぐことを特徴とする、請求項１に記載の交換可能なオスピースを有する保護カバー。
【請求項１０】
前記第１硬質オスピースが前記弾性保護カバー本体に取り付けられると、前記第１連結部が前記開口部と干渉することを特徴とする、請求項１に記載の交換可能なオスピースを有する保護カバー。
【請求項１１】
前記第２硬質オスピースが前記弾性保護カバー本体に取り付けられると、前記第２連結部が前記開口部と干渉することを特徴とする、請求項１に記載の交換可能なオスピースを有する保護カバー。
【請求項１２】
モバイルデバイスをカバーして固定し、固定キャリアに前記モバイルデバイスを固定するための保護カバーキットは、弾性保護カバー本体、硬質オスピース、メスピースキットを含み、
前記弾性保護カバー本体は、前記モバイルデバイスを弾性的に覆って固定するために使用され、
前記硬質オスピースは、前記弾性保護カバー本体に接続するための嵌合部および連結部を有し、前記連結部は、第１連結部または第２連結部であり、
前記メスピースキットはメスピースキャリア、汎用型メスピースを含み、
前記メスピースキャリアは、固定空間を囲み、前記固定キャリアに取り外し可能に固定するために使用され、
前記汎用型メスピースは、前記メスピースキャリアに取り外し可能に接続され、汎用的に前記硬質オスピースの第１連結部または第２連結部が取り外し可能に接続されるためであることを特徴とする、保護カバーキット。
【請求項１３】
前記硬質オスピースは前記弾性保護カバー本体に嵌合されることを特徴とする請求項１２に記載の保護カバーキット。
【請求項１４】
前記メスピースキャリアは、キャリアシートを含み、前記キャリアシートには、汎用型メスピースを受容するための受容溝が設けられていることを特徴とする、請求項１２に記載の保護カバーキット。
【請求項１５】
前記キャリアシートには、さらにキャリア穴が設けられており、前記メスピースキャリアには、貼付バンド本体がさらに含まれ、前記貼付バンド本体は第１貼付層および第２貼付層を有し、前記貼付バンド本体は、前記キャリア穴を通過し、前記第１貼付層を前記第２貼付層に貼りつけ、それにより、固定空間を取り囲むことを特徴とする、請求項１４に記載の保護カバーキット。
【請求項１６】
前記汎用型メスピースは、少なくとも1つの係合バンド本体をさらに含み、前記少なくとも1つの係合バンド本体は、前記キャリアシートに接続され、少なくとも1つの係合ブロックを有し、複数の係合穴が設けられ、前記少なくとも１つの係合ブロックは、前記少なくとも１つの係合穴と係合するために使用され、その結果、前記少なくとも１つの係合バンド本体は、前記固定空間を取り囲むことを特徴とする、請求項１４に記載の保護カバーキット。
【請求項１７】
前記汎用型メスピースは、複数の組立部材を含み、前記組立部材は、前記第１連結部に対応する複数の第１組立部材および前記第２連結部に対応する複数の第２組立部材を含むことを特徴とする、請求項１２に記載の保護カバーキット。
【考案の詳細な説明】
【技術分野】
【０００１】
本考案は、一種のカバーに関し、より詳細には、交換可能なオスピースを有する保護カバーおよび保護カバーキットに関する。
【背景技術】
【０００２】
スポーツに対する意識の高まりとスマートフォンの開発により、スマートフォンを装着して運動することに慣れる人が増えている。スマートフォンを使用して、スポーツのコンテンツを記録したり、スポーツの時間を計算したり、音楽を再生したりすることができる。しかしながら、手持ちのスマートフォンでスポーツを行うことは、ユーザーに不便をもたらす可能性があり、また、スポーツで出る汗により、ユーザーがスマートフォンを滑らせるおそれもある。
【０００３】
したがって、従来技術では、ユーザーがスマートフォンを置いて固定キャリアに固定するためのいくつかのスポーツアクセサリーがある。固定キャリアは、人体または自転車、フィットネスデバイスおよびその他のオブジェクトであることができる。
【０００４】
従来技術のスポーツアクセサリーは、通常、オスピースとメスピースを含む。オスピースは通常スマートフォンに取り付けられ、メスピースは固定キャリアに取り付けられる。オスピースはメスピースに取り外し可能に組み立てられ、固定キャリアにスマートフォンを固定することができる。しかしながら、先行技術では、オスピースとメスピースとの間には１対１の対応がある。言い換えれば、異なるブランドのメスピースは、他のブランドのオスピースによって普遍的に組み立てることはできない。また、単一ブランドのメスピースの構造も同じであるため、他のブランドのメスピースに組み立てるにおいて、他のブランドのオスピースに置き換えることはできず、ユーザーにとっては不便である。
【０００５】
従来技術における２つのメスピースの斜視図を示す図１を参照されたい。図に示すように、２つの異なるメスピースPA1a、PA1bにはそれぞれ、対応するオスピースに対応するアセンブリPA11a、PA11bがあり、メスピースPA1a、PA1bを汎用的に使用できない状況になっていることが分かる。したがって、先行技術のスポーツアクセサリーは、改善の余地がある。
【考案の概要】
【考案が解決しようとする課題】
【０００６】
従来技術におけるスポーツアクセサリーのオスピースおよびメスピースに由来する様々な問題を考慮して、本考案の主な目的の1つは、従来技術の少なくとも1つの問題を解決する、交換可能なオスピースを有する保護カバーと、保護カバーキットとを提供することである。
【課題を解決するための手段】
【０００７】
本考案は先行技術の問題を解決するために、使用される必要な技術的手段は、モバイルデバイスを覆って固定する、交換可能なオスピースを有する保護カバーを提供することである。そして、モバイルデバイスを、第1メスピースまたは第2メスピースを有する固定部材に選択的に固定する。保護カバーは弾性保護カバー本体、第1硬質オスピース、および第２硬質オスピースを含む
【０００８】
弾性保護カバー本体は、モバイルデバイスを覆って固定するための溝部と開口部を有し、溝部の大きさは開口部よりも大きい。第１硬質オスピースは、第１メスピースに取り合わせて、弾性保護カバー本体の溝部に着脱可能に嵌合され、開口部から突出させる第１連結部および第１嵌合部を有する。第２硬質オスピースは、第２メスピースに取り合わせて、弾性保護カバー本体の溝部に着脱可能に嵌合され、開口部から突出させる第２連結部および第２嵌合部を有する。固定部材が第１メスピースを有する場合、第１硬質オスピースは、弾性保護カバー本体に選択的に嵌合され、第１メスピースを取り外し可能に組み立てて固定するために使用される。そして、固定部材が第２メスピースを有する場合、第２硬質オスピースは、弾性保護カバー本体に選択的に嵌合され、第２メスピースを取り外し可能に組み立てて固定するために使用される。
【０００９】
上記の必要な技術的手段に基づいて、本考案から派生した副次的技術的手段の1つは、交換可能なオスピースを有する保護カバーの弾性保護カバー本体が複数の突起を含むことである。突起は溝部に配置され、第1嵌合部には複数の第1貫通孔が設けられ、第1硬質オスピースを弾性保護カバー本体に嵌合すると、第1貫通孔は突起の挿入に使用される。
【００１０】
上記の必要な技術的手段に基づいて、本考案から派生した副次的技術的手段の1つは、交換可能なオスピースを有する保護カバーの弾性保護カバー本体が複数の突起を含むことである。突起は溝部に配置され、第２嵌合部には複数の第２貫通孔が設けられ、第２硬質オスピースを弾性保護カバー本体に嵌合すると、第２貫通孔は突起の挿入に使用される。
【００１１】
上記の必要な技術的手段に基づいて、本考案から派生した副次的技術的手段の1つは、交換可能なオスピースを有する保護カバーの第１連結部には、第１メスピースに対応する複数の第１組立穴が設けられている。
【００１２】
上記の必要な技術的手段に基づいて、本考案から派生した副次的技術的手段の1つは、交換可能なオスピースを有する保護カバーの第１組立穴は、２つの第１横方向組立穴と２つの第１縦方向組立穴を含み、第１横方向基準線は第１横方向組立穴の間に形成され、第１縦方向基準線は第１縦方向組立穴の間に形成される。そして、第１横方向基準線は、第１縦方向基準線に垂直である。
【００１３】
上記の必要な技術的手段に基づいて、本考案から派生した副次的技術的手段の1つは、交換可能なオスピースを有する保護カバーの第２連結部には、第２メスピースに対応する複数の第２組立穴が設けられている。
【００１４】
上記の必要な技術的手段に基づいて、本考案から派生した副次的技術的手段の1つは、交換可能なオスピースを有する保護カバーの第２組立穴は、２つの第２横方向組立穴と２つの第２縦方向組立穴を含み、第２横方向基準線は第２横方向組立穴の間に形成され、第２縦方向基準線は第２縦方向組立穴の間に形成される。そして、第２横方向基準線は、第２縦方向基準線に垂直である。
【００１５】
上記の必要な技術的手段に基づいて、本考案から派生した副次的技術的手段の1つは、交換可能なオスピースを有する保護カバーの第１嵌合部は複数第１かかりを有し、第１硬質オスピースが弾性保護カバー本体に嵌合され、弾性保護カバー本体がモバイルデバイスを覆うときに、開口部がモバイルデバイスによって引き伸ばされるのを防ぐ。
【００１６】
上記の必要な技術的手段に基づいて、本考案から派生した副次的技術的手段の1つは、交換可能なオスピースを有する保護カバーの第２嵌合部は複数第２かかりを有し、第２硬質オスピースが弾性保護カバー本体に嵌合され、弾性保護カバー本体がモバイルデバイスを覆うときに、開口部がモバイルデバイスによって引き伸ばされるのを防ぐ。
【００１７】
上記の必要な技術的手段に基づいて、本考案から派生した副次的技術的手段の1つは、交換可能なオスピースを有する保護カバーの第１硬質オスピースが弾性保護カバー本体に嵌め込まれると、第１連結部が開口部と干渉する。
【００１８】
上記の必要な技術的手段に基づいて、本考案から派生した副次的技術的手段の1つは、交換可能なオスピースを有する保護カバーの第２硬質オスピースが弾性保護カバー本体に嵌め込まれると、第２連結部が開口部と干渉する。
【００１９】
先行技術の問題を解決するために、本考案が使用される必要な技術的手段は、別に保護カバーキットを提供することにより、モバイルデバイスをカバーして固定し、モバイルデバイスを固定キャリアに固定することである。保護カバーキットには、弾性保護カバー本体、硬質オスピース、およびメスピースキットが含まれている。弾性保護カバー本体は、モバイルデバイスを弾性的に覆って固定するために使用される。硬質オスピースは、弾性保護カバー本体に接続するための嵌合部および連結部を有し、連結部は、第１連結部または第２連結部である。
【００２０】
メスピースキットは、メスピースキャリアおよび汎用型メスピースを含む。メスピースキャリアは、固定空間を囲むために使用され、固定キャリアに取り外し可能に固定される。汎用型メスピースは、メスピースキャリアに取り外し可能に接続され、硬質オスピースの第１連結部または第２連結部が取り外し可能に接続されるために汎用的な用途である。
【００２１】
上記の必要な技術的手段に基づいて、本考案から派生した副次的技術的手段の1つは、保護カバーキットの硬質オスピースは、弾性保護カバー本体に嵌合される。
【００２２】
上記の必要な技術的手段に基づいて、本考案から派生した副次的技術的手段の1つは、保護カバーキットのメスピースキャリアにはキャリアシートが含まれており、キャリアシートには受容溝が設けられており、受容溝は汎用型メスピースを収納するために使用される。
【００２３】
上記の必要な技術的手段に基づいて、本考案から派生した副次的技術的手段の1つは、保護カバーキットのキャリアシートにはさらにキャリア穴が設けられており、メスピースキャリアにはさらに貼付バンド本体が含まれ、貼付バンド本体には第1貼付層と第２貼付層を有する。さらに、貼付バンド本体は、キャリア穴を貫通し、第１貼付層を第２貼付層に貼りつけて、固定空間を囲むためである。
【００２４】
上記の必要な技術的手段に基づいて、本考案から派生した副次的技術的手段の1つは、保護カバーキットのメスキャリアには、少なくとも1つの係合バンド本体がさらに含まれている。係合バンド本体はキャリアシートに接続され、少なくとも1つの係合ブロックを有し、複数の係合穴が設けられている。係合ブロックは、少なくとも１つの係合穴と係合するために使用され、それにより、係合バンド本体は、固定空間を形成する。
【００２５】
上記の必要な技術的手段に基づいて、本考案から派生した副次的技術的手段の1つは、保護カバーキットの汎用型メスピースは、複数の組立部材を含み、組立部材は、第１連結部に対応する複数の第１組立部材と、第２連結部に対応する複数の第２組立部材とを含む。
【考案の効果】
【００２６】
上述のように、本考案によって提供される交換可能なオスピースを有する保護カバーは、第１硬質オスピースおよび第２硬質オスピースが、固定部材のメスピースに対応することにより、弾性保護カバー本体に取り外し可能に嵌合することができる。従来技術と比較して、本考案は、異なるメスピースに従って異なる硬質のオスピースを選択することができ、従来技術のメスピースを共用することができないという問題を解決する。さらに、本考案が提供する保護カバーキットは、従来技術と比較して、汎用型メスピースを使用すると、任意の硬質オスピースを取り外し可能に接続することができ、従来技術ではメスピースを共用できないという問題を解決できる。
【図面の簡単な説明】
【００２７】
【図１】従来技術における２つのメスピースの斜視図である。
【図２】本考案第１実施形態により提供される、交換可能なオスピースを有する保護カバーの三次元分解図である。
【図３】本考案第１実施形態により提供される、交換可能なオスピースを有する保護カバーの三次元組立図である。
【図４】本考案第１実施形態により提供される、交換可能なオスピースを有する保護カバーがモバイルデバイスを覆って固定する斜視図である。
【図５】図４のＡ-Ａ断面図である。
【図６】本考案第１実施形態により提供される、交換可能なオスピースを有する保護カバーがメスピースに組み立てられた斜視図である。
【図７】本考案第１実施形態により提供される、交換可能なオスピースを有する保護カバーが別のメスピースに組み立てられた斜視図である。
【図８】本考案第２実施形態により提供される、交換可能なオスピースを有する保護カバーの第１硬質オスピースの斜視図である。
【図９】本考案第２実施形態により提供される、交換可能なオスピースを有する保護カバーがモバイルデバイスを覆って固定する斜視図である。
【図１０】図９のＢ-Ｂ断面図である。
【図１１】本考案第３実施形態により提供される、保護カバーキットのメスピースキットの汎用型メスピースの斜視図である。
【図１２】本考案第３実施形態により提供される保護カバーキットのメスピースキットの汎用型メスピースの平面図である。
【図１３】本考案第３実施形態により提供される、保護カバーキットのメスピースキットの三次元分解図である。
【図１４】本考案第３実施形態により提供される、保護カバーキットのメスピースキットの三次元組立図である。
【図１５】本考案第３実施形態により提供される、保護カバーキットがモバイルデバイスに固定された斜視図である。
【図１６】本考案第４実施形態により提供される、保護カバーキットのメスピースキットの三次元分解図である。
【図１７】本考案第４実施形態により提供される、保護カバーキットのメスピースキットの三次元組立図である。
【図１８】本考案第４実施形態により提供される、保護カバーキットがモバイルデバイスを固定キャリアに固定された斜視図である。
【図１９】本考案第５実施形態により提供される、保護カバーキットのメスピースキットの三次元分解図である。
【図２０】本考案第５実施形態により提供される、保護カバーキットのメスピースキットの三次元組立図である。
【図２１】本考案第５実施形態により提供される、固定キャリアにモバイルデバイスを固定する保護カバーキットの斜視図である。
【図２２】本考案第６実施形態により提供される、交換可能なオスピースを有する保護カバーの三次元分解図である。
【図２３】本考案第６実施形態により提供される、交換可能なオスピースを有する保護カバーとメスピースの分解図である。
【図２４】本考案第６実施形態により提供される、交換可能なオスピースを有する保護カバーで組み立てられたメスピースの斜視図である。
【図２５】本考案第６実施形態により提供される、交換可能なオスピースを有する保護カバーで組み立てられたメスピースの別の斜視図である。
【考案を実施するための形態】
【００２８】
上記目的を達成するために、本考案は技術的手段および達成可能な効果を採用し、以下のいくつかの好ましい実施形態は、図面と併せて詳細に説明され、完全に理解され得る。
【００２９】
図２から図７を併せて参照されたい。図２は本考案の第1実施形態によって提供される、交換可能なオスピースを備えた保護カバーの三次元分解図を示している。図３は本考案第１実施形態により提供される、交換可能なオスピースを有する保護カバーの三次元組立図である。図４は本考案第１実施形態により提供される、交換可能なオスピースを有する保護カバーがモバイルデバイスを覆って固定する斜視図である。図５は図４のＡ-Ａ断面図である。図６は本考案第１実施形態により提供される、交換可能なオスピースを有する保護カバーがメスピースに組み立てられた斜視図である。そして、図７は本考案第１実施形態により提供される、交換可能なオスピースを有する保護カバーが別のメスピースに組み立てられた斜視図である。図に示すように、モバイルデバイスＰを覆って固定し、モバイルデバイスＰを選択的に固定部材に固定する、交換可能なオスピースを備えた保護カバー１００は第１硬質オスピース１、第２硬質オスピース２および弾性保護カバー本体３を含む。固定部材３００ａは、第１メスピース２００ａまたは第２メスピース２００ｂを有する。 より詳細には、第１メスピース２００ａおよび第２メスピース２００ｂは、実際には、従来技術におけるメスピースＰＡ１ａおよびＰＡ１ｂである。
【００３０】
弾性保護カバー本体３は、モバイルデバイスＰを覆うための溝部３１と開口部３２とを有している。溝部３１の大きさは、開口部３２よりも大きい。
【００３１】
第１硬質オスピース１は、第１メスピース２００ａに取り合わせ、第１嵌合部１１および第１連結部１２を有し、弾性保護カバー本体３の溝部３１に着脱可能に嵌合され、第１連結部１２は開口部３２から突出している。また、第１連結部１２は、開口部３２と干渉する。
【００３２】
第２硬質オスピース２は、第２メスピース２００bに取り合わせ、第２嵌合部２１および第２連結部２２を有し、弾性保護カバー本体３の溝部３１に着脱可能に嵌合され、第２連結部２２は開口部３２から突出している。また、第２連結部２２は、開口部３２と干渉する。
【００３３】
第１硬質オスピース１および第２硬質オスピース２の両方は、弾性保護カバー本体３に嵌合することができる。図３に示すように、第１硬質オスピース１は弾性保護カバー本体３に嵌め込まれ、第１連結部１２は開口部３２から突出している。図４に示すように、弾性保護カバー本体３は、モバイルデバイスＰを覆って固定する。
【００３４】
本実施形態では、弾性保護カバー本体３は、複数の突起３３ａ、３３ｂを含む。突起３３ａ、３３ｂは溝部３１に設けられている。第１硬質オスピース１には、複数の第１貫通孔１１１ａ、１１１ｂが設けられており（図では４つ描かれており、そのうち２つは印がつけられている）、第１貫通孔１１１ａ、１１１ｂの数は突起３３ａ、３３ｂの数と同じである。
【００３５】
第１硬質オスピース１が弾性保護カバー本体３に嵌合されると、突起３３ａ、３３ｂは、対応して第１貫通孔１１１ａ、１１１ｂに挿入されるか、または貫通される。したがって、弾性保護カバー本体３がモバイルデバイスＰを覆うと、突起３３ａ、３３ｂが第１貫通孔１１１ａ、１１１ｂに位置するため、開口部３２がモバイルデバイスＰにより引っ張られることを防止できる。次に、第１硬質オスピース１の第１連結部１２を用いて、固定部材３００ａの第１メスピース２００ａを着脱自在に組み付け固定することにより、モバイルデバイスＰを固定キャリアＨ１に固定する。本実施形態では、固定キャリアＨ１は、自転車のハンドルバーにおける概略図である。
【００３６】
より詳細に説明すると、突起３３ａ、３３ｂは、第１貫通孔１１１ａ、１１１ｂに挿入され、溝部３１および開口部３２の変形量を低減することができるため、溝部３１および開口部３２の変形量は、弾性保護カバーのモバイルデバイスＰを取り囲む部分の変形量よりもはるかに小さい。
【００３７】
図７に示すように、固定部材３００ａが第２メスピース２００ｂを有する場合、ユーザーは、第２硬質オスピース２を弾性保護カバー本体３に嵌合させることができる。次に、第２硬質オスピース２の第２連結部２２を用いて、固定部材３００ａの第２メスピース２００ｂを着脱自在に組み付け固定することにより、モバイルデバイスＰを固定キャリアＨ１に固定する。また、第２硬質オスピース２にも複数の第２貫通孔２１１ａ、２１１ｂが設けられており、第２貫通孔２１１ａ、２１１ｂと第１貫通孔１１１ａ、１１１ｂは同じ機能を有するため、説明を省略する。したがって、ユーザーは、異なる第１メスピース２００ａおよび第２メスピース２００ｂに対応して、第１硬質オスピース１または第２硬質オスピース２を弾性保護カバー本体３に選択的に嵌合することができる。
【００３８】
次に、図８から図１０を参照されたい。図８は本考案第２実施形態により提供される、交換可能なオスピースを有する保護カバーの第１硬質オスピースの斜視図である。図９は第２実施形態により提供される、交換可能なオスピースを有する保護カバーがモバイルデバイスを覆って固定する斜視図である。図１０は図９のＢ-Ｂ断面図である。本実施形態において、第１硬質オスピース１ａは、第１嵌合部１１ａ、第１連結部１２ａ、および複数の第１かかり１３ａ、１３ｂを有する。（図では６つ描かれており、そのうち２つは印がつけられている）
【００３９】
第１硬質オスピース１ａは、弾性保護カバー本体３ａに嵌合される。次に、弾性保護カバー本体３ａはモバイルデバイスＰを覆って固定する。このとき、第１かかり１３ａ、１３ｂは、弾性保護カバー本体３ａを内側に引っ掛け、開口部がモバイルデバイスＰによって引き伸ばされるのを防止する。より詳細には、第１かかり１３ａ、１３ｂは、弾性保護カバー本体３ａの中央部の変形量を低減することができる。弾性保護カバー本体３ａの中央部の変形量は、モバイルデバイスＰを取り巻く部分の弾性保護カバー本体３ａの変形量よりもはるかに小さい。
【００４０】
本実施形態では、第１かかり１３ａ、１３ｂの機能が主に説明されているので、第２硬質オスピースは描かれていない。第２硬質オスピースと第１硬質オスピース１ａとの間の違いは、第１連結部１２ａおよび第２連結部のみにあることに留意されたい。そして、第２硬質オスの第２連結部は、第１実施形態の第２連結部２２と完全に同じである。
【００４１】
次に、図１１および図１２を参照されたい。図１１は第３実施形態により提供される、保護カバーキットのメスピースキットの汎用型メスピース斜視図である。図１２は第３実施形態により提供される保護カバーキットのメスピースキットの汎用型メスピース平面図である。図示するように、汎用型メスピース４１は、複数の組立部材４１１ａ、４１１ｂ、４１１ｃ、４１１ｄを含み、複数の組立溝４１２ａ、４１２ｂ、４１２ｃ、４１２ｄが設けられている。
【００４２】
組立部材４１１ａ、４１１ｂ、４１１ｃ、４１１ｄのうちの２つは、第１実施形態における第１硬質オスピース１に対応し、残りの２つは、第１実施形態における第２硬質オスピース２に対応する。したがって、汎用型メスピース４１は、さまざまな硬質オスピースに汎用的に接続できる。
【００４３】
図１１〜図１５を参照されたい。図１３は本考案第３実施形態により提供される、保護カバーキットのメスピースキットの三次元分解図である。図１４は本考案第３実施形態により提供される、保護カバーキットのメスピースキットの三次元組立図である。図１５は本考案第３実施形態により提供される、保護カバーキットがモバイルデバイスに固定された斜視図である。
図に示すように、保護カバーキット１００ｂは、弾性保護カバー本体３ａ、硬質のオスピースおよびメスピースキット４を備えている。 この実施形態では、図９のモバイルデバイスＰは、メスピースキット４に組み立てられていると考えることができる。したがって、弾性保護カバー本体３ａは、図９の弾性保護カバー本体３ａと同じであり、図９の第１硬質オスピース１ａは、硬質オスピース（図では角度は示されていない）である。
【００４４】
メスピースキット４は、汎用型メスピース４１とメスピースキャリア４２とを含む。メスピースキャリア４２は、キャリアシート４２１および貼付バンド本体４２２を含む。キャリアシート４２１は、受容溝４２１１およびキャリア穴４２１２を設けている。貼付バンド本体４２２は、第１貼付層４２２１および第２貼付層４２２２を有する。
【００４５】
汎用型メスピース４１は、キャリアシート４２１の受容溝４２１１に接続されている。貼付バンド本体４２２の一端はキャリアシート４２１に接続され、他端にはキャリア穴４２１２が設けられ、第１貼付層４２２１は第２貼付層４２２２に貼り付けられることによって、固定空間Ｓを取り囲むが、これに限定されない。貼付バンド本体４２２はまた、両端に第１貼付層４２２１および第２貼付層４２２２を有することができ、しかもキャリアシート４２１の両端に２つのキャリア穴４２１２が形成される。したがって、２つのキャリア穴４２１２は、固定空間Ｓを取り囲むように、貼付バンド本体４２２の両端を貫通して第２貼付層４２２２にそれぞれ貼り付けることができる。第１貼付層４２２１および第２貼付層４２２２は、通常、マジックテープ（登録商標）のぬいぐるみ表面層およびマジックテープ（登録商標）の針フック表面層を使用する。
【００４６】
固定空間Ｓは、固定キャリアに固定されるものであり、固定キャリアは、人体、自転車、フィットネス機器等であってよい。実際には、本実施形態は、腕、腰、脚など、人体に固定されることが多い。
【００４７】
図１１〜図１２および図１６〜図１８を一緒に参照されたい。図１６は本考案第４実施形態により提供される、保護カバーキットのメスピースキットの三次元分解図である。図１７は本考案第４実施形態により提供される、保護カバーキットのメスピースキットの三次元組立図である。図１８は本考案第４実施形態により提供される、保護カバーキットがモバイルデバイスを固定キャリアに固定された斜視図である。図に示すように、保護カバーキット１００cには、弾性保護カバー本体３、硬質オスピース、およびメスピースキット４aが含まれている。この実施形態では、図７のモバイルデバイスＰをメスピースキット４ａに組み付けることとみなすことができる。したがって、弾性保護カバー本体３は図７の弾性保護カバー本体３と同じであり、硬質オスピースは図２の硬質オスピース２であり、図７では第２連結部２２だけが突出している。
【００４８】
メスピースキット４ａは、汎用型メスピース４１とメスピースキャリア４２ａとを含む。メスピースキャリア４２ａは、キャリアシート４２１ａおよび係合バンド本体４２２ａを含む。キャリアシート４２１ａは、受容溝４２１１ａを設けている。係合バンド本体４２２ａは、係合ブロック４２２２ａを有し、複数の係合穴４２２１ａが設けられている。
【００４９】
汎用型メスピース４１は、キャリアシート４２１ａの受容溝４２１１ａに接続されている。係合バンド本体４２２ａは、キャリアシート４２１ａに接続され、係合ブロック４２２２ａによって一方の係合穴４２２１ａに係合され、固定空間Ｓａを調整可能に取り囲む。係合バンド本体４２２ａの構造は、一般的な時計バンドと同様である。固定空間Ｓａは、固定キャリアＨ１に固定するために使用される。この実施形態では、固定キャリアＨ１は自転車のハンドルバーである。さらに、実際には、この実施形態は、ユーザーの手首に固定することもできる。
【００５０】
図１１から１２および図１９から２１を参照されたい。図１９は本考案第５実施形態により提供される、保護カバーキットのメスピースキットの三次元分解図である。図２０は本考案第５実施形態により提供される、保護カバーキットのメスピースキットの三次元組立図である。図２１は本考案第５実施形態により提供される、固定キャリアにモバイルデバイスを固定する保護カバーキットの斜視図である。図に示されるように、保護カバーキット１００ｄは、弾性保護カバー本体３ａ、硬質オスピースおよびメスピースキット４ｂを含む。この実施形態では、図９のモバイルデバイスＰをメスピースキット４ｂに組み付けることとみなすことができる。したがって、弾性保護カバー本体３ａは、図９の弾性保護カバー本体３ａと同じであり、硬質オスピースは、図９の第１硬質オスピース１aである。
【００５１】
メスピースキット４ｂは、汎用型メスピース４１およびメスピースキャリア４２ｂを含む。メスピースキャリア４２ｂは、キャリアシート４２１ｂおよび２つの係合バンド本体４２２ｂを含む。キャリアシート４２１ｂは、受容溝４２１１ｂを設けている。係合バンド本体４２２ｂは、それぞれ、係合ブロック４２２２ｂを有し、複数の係合穴４２２１ｂが設けられている。
【００５２】
汎用型メスピース４１は、キャリアシート４２１ｂの受容溝４２１１ｂに接続されている。２つの係合バンド本体４２２ｂは、キャリアシート４２１ｂに接続され、それぞれの係合ブロック４２２２ｂによって１つの係合穴４２２１ｂと係合され、それにより、固定空間Ｓｂを調節可能に取り囲む。単一の係合バンド本体４２２ｂの構造は、一般的な時計バンドと同様である。固定空間Ｓｂは、固定キャリアＨ１に固定されものであり、本実施形態では、固定キャリアＨ１は自転車のハンドルバーである。
【００５３】
汎用型メスピース４１は、組立部材４１１ａ、４１１ｂ、４１１ｃ、４１１ｄを備えているので、汎用型メスピース４１は、硬質オスピースにより汎用的に組み立てることができる。第４実施形態と第５実施形態を比較すると、第４実施形態の硬質オスピースの組立穴（第２硬質オスピース２の第２組立穴２２１）は、汎用型メスピース４１の組立部材４１１ｂ、４１１ｄに組み立てられる。第５実施形態の硬質オスピースの組立穴（第１硬質オスピース１ａの第１組立穴１２１ａ）は、汎用型メスピース４１の組立部材４１１ａ、４１１ｃに組み付けられる。
【００５４】
最後に、図２２から図２５を参照されたい。図２２は本考案第６実施形態により提供される、交換可能なオスピースを有する保護カバーの三次元分解図である。図２３は本考案第６実施形態により提供される、交換可能なオスピースを有する保護カバーとメスピースの分解図である。図２４は本考案第６実施形態により提供される、交換可能なオスピースを有する保護カバーで組み立てられたメスピースの斜視図である。図２５は本考案第６実施形態により提供される、交換可能なオスピースを有する保護カバーで組み立てられたメスピースの別の斜視図である。図に示すように、交換可能なオスピースを備えた保護カバー１００ｅは、第１硬質オスピース１eと、第２硬質オスピース２eと、弾性保護カバー本体３とを含み、モバイルデバイスＰを包んで固定し、固定部材によりモバイルデバイスＰを選択的に固定する。固定部材３００ａは、第１メスピース２００ａまたは第２メスピース２００ｂ（図７に示されている）を有する。より詳細には、第１メスピース２００ａおよび第２メスピース２００ｂは、実際には、従来技術におけるメスピースＰＡ１ａおよびＰＡ１ｂである。
【００５５】
弾性保護カバー本体３、第１硬質オスピース１ｅの第１嵌合部１１ｅおよび第１貫通孔１１１ｅ、第２硬質オスピース２ｅの第２嵌合部２１ｅおよび第２貫通孔２１１ｅは第１実施形態と同じであるため、詳細な説明は省略する。さらに、第１メスピース２００ａ、固定部材３００ａおよび固定キャリアＨ１も、この実施形態では、図面が第１メスピース２００ａの第１組立部材２０１ａをさらに示すことを除いて、第１実施形態と同じである。
【００５６】
本実施形態では、第１硬質オスピース１ｅの第１連結部１２ｅには複数の第１組立穴が設けられ、第１組立穴は２つの第１縦方向組立穴１２１ｅａ、１２１ｅｃおよび２つの第１横方向組立穴１２１eb、１２１edを含む。第１縦基準線ＬＶ１は、第１縦方向組立穴１２１ｅａと１２１ｅｃとの間に形成される。より詳細には、第１縦基準線ＬＶ１は、第１縦方向組立穴１２１ｅａの中心と第１縦方向組立穴１２１ｅｃの中心との間の接続線である。したがって、第１縦方向組立穴１２１ｅａと第１縦方向組立穴１２１ｅｃとの延在方向は、第１縦基準線ＬＶ１と平行である。さらに、第１縦基準線ＬＶ１は、第１縦方向組立穴１２１ｅａまたは第１縦方向組立穴１２１ｅｃの対称軸と見なすこともできる。同様に、第１横方向組立穴１２１ｅｂと１２１ｅｄとの間に第１横基準線ＬＨ１が形成され、第１横基準線ＬＨ１は第１縦基準線ＬＶ１に対して実質的に垂直である。
【００５７】
同様に、第２硬質オスピース２ｅの第２連結部２２ｅは、複数の第２組立穴を設置し、第２組立穴は、２つの第２縦方向組立穴２２１ｅａ、２２１ｅｃおよび２つの第２横方向組立穴２２１ｅｂ、２２１edを含む。第２縦方向組立穴２２１ｅａと２２１ｅｃとの間には、第２縦基準線ＬＶ２が形成される。第２横方向組立穴２２１ｅｂ、２２１ｅｄの間に第２横基準線ＬＨ２が形成され、第２横基準線ＬＨ２は第２縦基準線ＬＶ２と実質的に垂直である。第１硬質オスピース１ｅと第２硬質オスピース２ｅは２種類のオスピースであり、構造や大きさが異なるため、第１硬質オスピース１ｅは、第１メスピース２００ａにより適している。第２硬質オスピース２ｅは、第２メスピース２００ｂにより適している。
【００５８】
第１硬質オスピース１ｅおよび第２硬質オスピース２ｅは、弾性保護カバー本体３に選択的に嵌合することができる。本実施形態では、図面は、第１硬質オスピース１ｅが弾性保護カバー本体３に嵌め込まれていることを示している。弾性保護カバー本体３をモバイルデバイスＰに巻き付けて固定した後、固定部材３００ａに組み付けることができる。
【００５９】
第１硬質オスピース１ｅの第１横方向組立穴１２１ｅｂ、１２１ｅｄが組み立てられ、第１組立部材２０１ａに係合されるとき、モバイルデバイスＰの設置方向は、図２４に示されるようになる。モバイルデバイスＰの長辺Ｐ１は第１方向Ｄ１に平行であり、モバイルデバイスＰの幅広Ｐ２は第２方向Ｄ２に平行であり、第１方向Ｄ１は第２方向Ｄ２に実質的に垂直である。
【００６０】
モバイルデバイスＰの設置方向が使用上問題となると考え、モバイルデバイスＰのワイド画面機能を利用するためにモバイルデバイスＰを横向きにする必要があるとユーザーが考えた場合、モバイルデバイスＰを回転させることができる。第１硬質オスピース１ｅにはさらに第１の縦方向組立穴１２１ｅａ、１２１ｅｃが設けられているため、ユーザーがモバイルデバイスＰを回転させた後、第１硬質オスピース１ｅは第１縦方向組立穴１２１ｅａ、１２１ｅｃを使用して第１組立部材２０１aに組み立てて係合することができる。このとき、モバイルデバイスＰの設置方向は図２５に示すようになり、モバイルデバイスＰの長辺Ｐ１は第２方向Ｄ２と平行になり、モバイルデバイスＰの幅広Ｐ２は第１方向Ｄ１と平行になる。
【００６１】
同様に、第１硬質オスピース１ｅを第２硬質オスピース２ｅに置き換え、第１メスピース２００ａを第２メスピース２００ｂに置き換えても、上記の効果を得ることができる。したがって、本実施形態は、対応する硬質オスピースによる従来技術における異なるメスピースの使用に関する制限を克服することができ、それにより、使用における利便性および操作性を改善する。
【００６２】
また、第３〜第５実施形態において、硬質オスピースは、第１実施形態の第１硬質オスピース１、第２硬質オスピース２、第２実施形態の第１硬質オスピース１ａ、第２実施形態に示されていない第２硬質オスピース、第６実施形態の第１硬質オスピース１ｅ、または第６実施形態の第２硬質オスピース２ｅであってもよい。また、保護カバーキットは、上述の第３〜第５の実施形態において、メスピースキャリア４２、メスピースキャリア４２ａおよびメスピースキャリア４２ｂを含んでもよい。汎用型メスピース４１は、キャリアシート４２１、キャリアシート４２１ａ、またはキャリアシート４２１ｂなどの異なるメスピースキャリア４２、４２ａ、４２ｂに選択的に組み立てることができる。
【００６３】
要約すると、本考案により提供された、交換可能なオスピースを備えた保護カバーは、第1硬質オスピースと第２硬質オスピースが対応する固定部材のメスピースを使用することにより、弾性保護カバーの本体に取り外し可能に嵌合することができる。従来技術と比較して、本考案は、従来技術のメスピースが普遍的に使用できないという問題を解決するために、異なるメスピースに従って異なる硬質オスピースを選択することができる。さらに、第１硬質オスピースには、第１横方向組立穴および第１縦方向組立穴が設けられ、第２硬質オスピースには、第２横方向組立穴および第２縦方向組立穴が設けられ、異なる組立穴を使用して、メスピースの組立部材を組立、モバイルデバイスの設置方向を調整して、使い勝手を向上させることができる。さらに、本考案により提供される保護カバーキットは汎用型メスピースを使用するので、従来の技術と比較して、本考案は任意の硬質オスピースに取り外し可能に接続でき、以前の技術ではメスピースを使用できない問題を解決できる。
【００６４】
本考案は意図された機能および目的を実際に達成することができ、詳細な説明により当業者はそれに応じてそれを実施することができる。しかしながら、上述の実施形態は、本考案を説明するためにのみ使用され、同等の構造におけるすべての変更は、依然として本考案の範囲から逸脱するものではない。
【符号の説明】
【００６５】
ＰＡ１a、ＰＡ１b  メスピース
ＰＡ１１a、ＰＡ１１b  組立部材
１００、１００e  保護カバー
１００b、１００c、１００d  保護カバーキット
１、１a、１e  第１硬質オスピース
１１、１１a、１１e  第１嵌合部
１１１a、１１１b、１１１e  第１貫通孔
１２、１２a、１２e  第１連結部
１２１a  第１組立穴
１２１ea、１２１ec  第１縦方向組立穴
１２１eb、１２１ed  第１横方向組立穴
１３a、１３b  第１かかり
２、２e  第２硬質オスピース
２１、２１e  第２嵌合部
２１１a、２１１b、２１１e  第２貫通孔
２２、２２e  第２連結部
２２１  第２組立穴
２２１ea、２２１ec  第２縦方向組立穴
２２１eb、２２１ed  第２横方向組立穴
３、３a  弾性保護カバー本体
３１  溝部
３２  開口部
３３a、３３b  突起
４、４a、４b  メスピースキット
４１  汎用型メスピース
４１１ａ、４１１ｂ、４１１ｃ、４１１ｄ  組立部材
４１２ａ、４１２ｂ、４１２ｃ、４１２ｄ  組立溝
４２、４２a、４２b、  メスピースキャリア
４２１、４２１a、４２１b  キャリアシート
４２１１、４２１１a、４２１１b  受容溝
４２１２  キャリア穴
４２２  貼付バンド本体
４２２１  第１貼付層
４２２２  第２貼付層
４２２a、４２２b  係合バンド本体
４２２１a、４２２１b  係合穴
４２２２a、４２２２b  係合ブロック
２００a  第１メスピース
２００b  第２メスピース
２０１a  第１組立部材
３００a  固定部材
Ｄ１  第１方向
Ｄ２  第２方向
Ｈ１  固定キャリア
ＬＨ１  第１横基準線
ＬＨ２  第２横基準線
ＬＶ１  第１縦基準線
ＬＶ２  第２縦基準線
Ｐ  モバイルデバイス
Ｐ１  長辺
Ｐ２  幅広
Ｓ、Ｓa、Ｓb  固定空間
【図１】
0003228362.tif 000003
【図２】
0003228362.tif 000004
【図３】
0003228362.tif 000005
【図４】
0003228362.tif 000006
【図５】
0003228362.tif 000007
【図６】
0003228362.tif 000008
【図７】
0003228362.tif 000009
【図８】
0003228362.tif 000010
【図９】
0003228362.tif 000011
【図１０】
0003228362.tif 000012
【図１１】
0003228362.tif 000013
【図１２】
0003228362.tif 000014
【図１３】
0003228362.tif 000015
【図１４】
0003228362.tif 000016
【図１５】
0003228362.tif 000017
【図１６】
0003228362.tif 000018
【図１７】
0003228362.tif 000019
【図１８】
0003228362.tif 000020
【図１９】
0003228362.tif 000021
【図２０】
0003228362.tif 000022
【図２１】
0003228362.tif 000023
【図２２】
0003228362.tif 000024
【図２３】
0003228362.tif 000025
【図２４】
0003228362.tif 000026
【図２５】
0003228362.tif 000027